(57)【要約】【課題】少量の部材により流体を流動できる磁力駆動ポンプユニットを提供する。【解決手段】本体１１は、内部に一つの収容空間を有し、少なくとも外側が磁気伝導材料である。ブロック１２は、一定の長さを有し、外周形状が収容空間の内周形状に対応し、収容空間の内部で揺動自在であり、磁力で駆動される。コイル１３は、本体１１の外周面に巻き付けられ、電流を提供する電子回路と接続し、ブロック１２を駆動する。ブロック１２を駆動することにより、ブロック１２の一側または両側に位置する流体を流動させる。【選択図】図１
2006329190.tif 000002
【特許請求の範囲】
【請求項１】
内部に一つの収容空間を有し、少なくとも外側が磁気伝導材料である本体と、
一定の長さを有し、外周形状が前記収容空間の内周形状に対応し、前記収容空間の内部で揺動自在であり、磁力に駆動されるブロックと、
前記本体の外周面に巻き付けられ、電流を提供する電子回路と接続し、前記ブロックを駆動するコイルと、
を含むことを特徴とする磁力駆動ポンプユニット。
【請求項２】
前記本体は、珪素鋼、鉄、アモルファス材料又は永久磁石のうちの何れか一つで作製されているものであることを特徴とする請求項１に記載の磁力駆動ポンプユニット。
【請求項３】
前記本体は、シートを巻いて形成されている円形断面を持つ管体であることを特徴とする請求項１に記載の磁力駆動ポンプユニット。
【請求項４】
前記本体は、シートを巻いて形成されている円形断面を持つ管体であることを特徴とする請求項２に記載の磁力駆動ポンプユニット。
【請求項５】
前記本体は、直径が異なった複数のスリーブを互いに嵌めて構成されている円形断面を持つ管体であることを特徴とする請求項１に記載の磁力駆動ポンプユニット。
【請求項６】
前記本体は、直径が異なった複数のスリーブを互いに嵌めて構成されている円形断面を持つ管体であることを特徴とする請求項２に記載の磁力駆動ポンプユニット。
【請求項７】
前記本体は、円形断面を持つ管体と、前記管体の外周面を被覆する磁気伝導体とを含むことを特徴とする請求項１に記載の磁力駆動ポンプユニット。
【請求項８】
前記磁気伝導体は、珪素鋼、鉄、アモルファス材料又は永久磁石のうちの何れか一つで作製されているものであることを特徴とする請求項７に記載の磁力駆動ポンプユニット。
【請求項９】
前記磁気伝導体は、シートを巻いて形成されている円形断面を持つ管体であることを特徴とする請求項７に記載の磁力駆動ポンプユニット。
【請求項１０】
前記磁気伝導体は、シートを巻いて形成されている円形断面を持つ管体であることを特徴とする請求項８に記載の磁力駆動ポンプユニット。
【請求項１１】
前記磁気伝導体は、直径が異なった複数のスリーブを互いに嵌めて構成されている円形断面を持つ管体であることを特徴とする請求項７に記載の磁力駆動ポンプユニット。
【請求項１２】
前記本体は、直径が異なった複数のスリーブを互いに嵌めて構成されている円形断面を持つ管体であることを特徴とする請求項８に記載の磁力駆動ポンプユニット。
【請求項１３】
一つの磁気通路部を含み、
前記磁気通路部は前記コイルの外周面を被覆し、前記コイルで発生する磁界を有効に案内して前記ブロックを駆動するものであることを特徴とする請求項１に記載の磁力駆動ポンプユニット。
【請求項１４】
一つの磁気通路部を含み、
前記磁気通路部は前記コイルの外周面を被覆し、前記コイルで発生する磁界を有効に案内して前記ブロックを駆動するものであることを特徴とする請求項２に記載の磁力駆動ポンプユニット。
【請求項１５】
一つの磁気通路部を含み、
前記磁気通路部は前記コイルの外周面を被覆し、前記コイルで発生する磁界を有効に案内して前記ブロックを駆動するものであることを特徴とする請求項３に記載の磁力駆動ポンプユニット。
【請求項１６】
一つの磁気通路部を含み、
前記磁気通路部は前記コイルの外周面を被覆し、前記コイルで発生する磁界を有効に案内して前記ブロックを駆動するものであることを特徴とする請求項４に記載の磁力駆動ポンプユニット。
【請求項１７】
一つの磁気通路部を含み、
前記磁気通路部は前記コイルの外周面を被覆し、前記コイルで発生する磁界を有効に案内して前記ブロックを駆動するものであることを特徴とする請求項５に記載の磁力駆動ポンプユニット。
【請求項１８】
一つの磁気通路部を含み、
前記磁気通路部は前記コイルの外周面を被覆し、前記コイルで発生する磁界を有効に案内して前記ブロックを駆動するものであることを特徴とする請求項６に記載の磁力駆動ポンプユニット。
【請求項１９】
一つの磁気通路部を含み、
前記磁気通路部は前記コイルの外周面を被覆し、前記コイルで発生する磁界を有効に案内して前記ブロックを駆動するものであることを特徴とする請求項７に記載の磁力駆動ポンプユニット。
【請求項２０】
一つの磁気通路部を含み、
前記磁気通路部は前記コイルの外周面を被覆し、前記コイルで発生する磁界を有効に案内して前記ブロックを駆動するものであることを特徴とする請求項８に記載の磁力駆動ポンプユニット。
【請求項２１】
一つの磁気通路部を含み、
前記磁気通路部は前記コイルの外周面を被覆し、前記コイルで発生する磁界を有効に案内して前記ブロックを駆動するものであることを特徴とする請求項９に記載の磁力駆動ポンプユニット。
【請求項２２】
一つの磁気通路部を含み、
前記磁気通路部は前記コイルの外周面を被覆し、前記コイルで発生する磁界を有効に案内して前記ブロックを駆動するものであることを特徴とする請求項１０に記載の磁力駆動ポンプユニット。
【請求項２３】
一つの磁気通路部を含み、
前記磁気通路部は前記コイルの外周面を被覆し、前記コイルで発生する磁界を有効に案内して前記ブロックを駆動するものであることを特徴とする請求項１１に記載の磁力駆動ポンプユニット。
【請求項２４】
一つの磁気通路部を含み、
前記磁気通路部は前記コイルの外周面を被覆し、前記コイルで発生する磁界を有効に案内して前記ブロックを駆動するものであることを特徴とする請求項１２に記載の磁力駆動ポンプユニット。
【請求項２５】
前記本体の両端には開口が開設してあり、前記磁気通路部は前記コイルの周面に沿って前記コイルの裏面の中央へ湾折され、その二つの端部が前記本体の二つの端部とそれぞれ当接することを特徴とする請求項１３に記載の磁力駆動ポンプユニット。
【請求項２６】
前記本体の両端には開口が開設してあり、前記磁気通路部は前記コイルの周面に沿って前記コイルの裏面の中央へ湾折され、その二つの端部と前記本体の二つの端部との間には所定のギャップがそれぞれ残っていることを特徴とする請求項１４に記載の磁力駆動ポンプユニット。
【請求項２７】
前記本体の両端には開口が開設してあり、前記磁気通路部は前記コイルの周面に沿って前記コイルの裏面の中央へ湾折され、その二つの端部が前記本体の二つの端部とそれぞれ当接することを特徴とする請求項１５に記載の磁力駆動ポンプユニット。
【請求項２８】
前記本体の両端には開口が開設してあり、前記磁気通路部は前記コイルの周面に沿って前記コイルの裏面の中央へ湾折され、その二つの端部と前記本体の二つの端部との間には所定のギャップがそれぞれ残っていることを特徴とする請求項１６に記載の磁力駆動ポンプユニット。
【請求項２９】
前記本体の両端には開口が開設してあり、前記磁気通路部は前記コイルの周面に沿って前記コイルの裏面の中央へ湾折され、その二つの端部が前記本体の二つの端部とそれぞれ当接することを特徴とする請求項１７に記載の磁力駆動ポンプユニット。
【請求項３０】
前記本体の両端には開口が開設してあり、前記磁気通路部は前記コイルの周面に沿って前記コイルの裏面の中央へ湾折され、その二つの端部と前記本体の二つの端部との間には所定のギャップがそれぞれ残っていることを特徴とする請求項１８に記載の磁力駆動ポンプユニット。
【請求項３１】
円形断面を持つ前記管体の両端には開口が開設してあり、前記磁気通路部は前記コイルの周面に沿って前記コイルの裏面の中央へ湾折され、その二つの端部と前記本体の二つの端部との間には所定のギャップがそれぞれ残っていることを特徴とする請求項１９に記載の磁力駆動ポンプユニット。
【請求項３２】
円形断面を持つ前記管体の両端には開口が開設してあり、前記磁気通路部は前記コイルの周面に沿って前記コイルの裏面の中央へ湾折され、その二つの端部と前記本体の二つの端部との間には所定のギャップがそれぞれ残っていることを特徴とする請求項２０に記載の磁力駆動ポンプユニット。
【請求項３３】
円形断面を持つ前記管体の両端には開口が開設してあり、前記磁気通路部は前記コイルの周面に沿って前記コイルの裏面の中央へ湾折され、その二つの端部と前記本体の二つの端部との間には所定のギャップがそれぞれ残っていることを特徴とする請求項２１に記載の磁力駆動ポンプユニット。
【請求項３４】
円形断面を持つ前記管体の両端には開口が開設してあり、前記磁気通路部は前記コイルの周面に沿って前記コイルの裏面の中央へ湾折され、その二つの端部と前記本体の二つの端部との間には所定のギャップがそれぞれ残っていることを特徴とする請求項２２に記載の磁力駆動ポンプユニット。
【請求項３５】
円形断面を持つ前記管体の両端には開口が開設してあり、前記磁気通路部は前記コイルの周面に沿って前記コイルの裏面の中央へ湾折され、その二つの端部と前記本体の二つの端部との間には所定のギャップがそれぞれ残っていることを特徴とする請求項２３に記載の磁力駆動ポンプユニット。
【請求項３６】
円形断面を持つ前記管体の両端には開口が開設してあり、前記磁気通路部は前記コイルの周面に沿って前記コイルの裏面の中央へ湾折され、その二つの端部と前記本体の二つの端部との間には所定のギャップがそれぞれ残っていることを特徴とする請求項２４に記載の磁力駆動ポンプユニット。
【請求項３７】
前記収容空間内に設けられて前記ブロックのストロークを限定する限定部を含むことを特徴とする請求項１に記載の磁力駆動ポンプユニット。
【請求項３８】
前記収容空間内に設けられて前記ブロックのストロークを限定する限定部を含むことを特徴とする請求項７に記載の磁力駆動ポンプユニット。
【請求項３９】
前記収容空間内に設けられて前記ブロックのストロークを限定する限定部を含むことを特徴とする請求項１３に記載の磁力駆動ポンプユニット。
【請求項４０】
前記収容空間内に設けられて前記ブロックのストロークを限定する限定部を含むことを特徴とする請求項１９に記載の磁力駆動ポンプユニット。
【請求項４１】
前記収容空間内に設けられて前記ブロックのストロークを限定する限定部を含むことを特徴とする請求項２５に記載の磁力駆動ポンプユニット。
【請求項４２】
前記収容空間内に設けられて前記ブロックのストロークを限定する限定部を含むことを特徴とする請求項３１に記載の磁力駆動ポンプユニット。
【請求項４３】
内部に両端にある開口と連通する収容空間を有する本体と、
一定の長さを有し、外周形状が前記収容空間の内周形状に対応し、前記収容空間の内部で揺動自在であり、前記本体の両端の間に位置するブロックと、
前記本体の外周面に巻き付けられ、電流を提供する電子回路と接続し、前記ブロックを往復で駆動するコイルと、
前記本体の両端にそれぞれ一対で設けてあり、第一位置から第二位置への流体の一方向流動だけを許可するための逆止弁部とを含み、
前記流体が第一位置から第二位置へだけ流動することを特徴とする磁力駆動ポンプユニット。
【請求項４４】
前記本体は、少なくとも外側が磁気伝導材料であることを特徴とする請求項４３に記載の磁力駆動ポンプユニット。
【請求項４５】
前記本体は、珪素鋼、鉄、アモルファス材料又は永久磁石のうちの何れか一つで作製されているものであることを特徴とする請求項４４に記載の磁力駆動ポンプユニット。
【請求項４６】
前記本体は、シートを巻いて形成されている円形断面を持つ管体であることを特徴とする請求項４４に記載の磁力駆動ポンプユニット。
【請求項４７】
前記本体は、シートを巻いて形成されている円形断面を持つ管体であることを特徴とする請求項４５に記載の磁力駆動ポンプユニット。
【請求項４８】
前記本体は、直径が異なった複数のスリーブを互いに嵌めて構成されている円形断面を持つ管体であることを特徴とする請求項４４に記載の磁力駆動ポンプユニット。
【請求項４９】
前記本体は、直径が異なった複数のスリーブを互いに嵌めて構成されている円形断面を持つ管体であることを特徴とする請求項４５に記載の磁力駆動ポンプユニット。
【請求項５０】
前記本体は、円形断面を持つ管体と、前記管体の外周面を被覆する磁気伝導体とを含むことを特徴とする請求項４４に記載の磁力駆動ポンプユニット。
【請求項５１】
前記磁気伝導体は、珪素鋼、鉄、アモルファス材料又は永久磁石のうちの何れか一つで作製されているものであることを特徴とする請求項５０に記載の磁力駆動ポンプユニット。
【請求項５２】
前記磁気伝導体は、シートを巻いて形成されている円形断面を持つ管体であることを特徴とする請求項５０に記載の磁力駆動ポンプユニット。
【請求項５３】
前記磁気伝導体は、シートを巻いて形成されている円形断面を持つ管体であることを特徴とする請求項５１に記載の磁力駆動ポンプユニット。
【請求項５４】
前記磁気伝導体は、直径が異なった複数のスリーブを互いに嵌めて構成されている円形断面を持つ管体であることを特徴とする請求項５０に記載の磁力駆動ポンプユニット。
【請求項５５】
前記磁気伝導体は、直径が異なった複数のスリーブを互いに嵌めて構成されている円形断面を持つ管体であることを特徴とする請求項５１に記載の磁力駆動ポンプユニット。
【請求項５６】
一つの磁気通路部を含み、
前記磁気通路部は前記コイルの外周面を被覆し、前記コイルで発生する磁界を有効に案内して前記ブロックを駆動するものであることを特徴とする請求項４３に記載の磁力駆動ポンプユニット。
【請求項５７】
一つの磁気通路部を含み、
前記磁気通路部は前記コイルの外周面を被覆し、前記コイルで発生する磁界を有効に案内して前記ブロックを駆動するものであることを特徴とする請求項４４に記載の磁力駆動ポンプユニット。
【請求項５８】
一つの磁気通路部を含み、
前記磁気通路部は前記コイルの外周面を被覆し、前記コイルで発生する磁界を有効に案内して前記ブロックを駆動するものであることを特徴とする請求項４６に記載の磁力駆動ポンプユニット。
【請求項５９】
一つの磁気通路部を含み、
前記磁気通路部は前記コイルの外周面を被覆し、前記コイルで発生する磁界を有効に案内して前記ブロックを駆動するものであることを特徴とする請求項４８に記載の磁力駆動ポンプユニット。
【請求項６０】
一つの磁気通路部を含み、
前記磁気通路部は前記コイルの外周面を被覆し、前記コイルで発生する磁界を有効に案内して前記ブロックを駆動するものであることを特徴とする請求項５０に記載の磁力駆動ポンプユニット。
【請求項６１】
一つの磁気通路部を含み、
前記磁気通路部は前記コイルの外周面を被覆し、前記コイルで発生する磁界を有効に案内して前記ブロックを駆動するものであることを特徴とする請求項５２に記載の磁力駆動ポンプユニット。
【請求項６２】
一つの磁気通路部を含み、
前記磁気通路部は前記コイルの外周面を被覆し、前記コイルで発生する磁界を有効に案内して前記ブロックを駆動するものであることを特徴とする請求項５４に記載の磁力駆動ポンプユニット。
【請求項６３】
前記磁気通路部は、前記コイルの周面に沿って前記コイルの裏面の中央へ湾折され、その二つの端部が前記本体の二つの端部とそれぞれ当接することを特徴とする請求項５６に記載の磁力駆動ポンプユニット。
【請求項６４】
前記磁気通路部は、前記コイルの周面に沿って前記コイルの裏面の中央へ湾折され、その二つの端部が前記本体の二つの端部とそれぞれ当接することを特徴とする請求項５７に記載の磁力駆動ポンプユニット。
【請求項６５】
前記磁気通路部は、前記コイルの周面に沿って前記コイルの裏面の中央へ湾折され、その二つの端部と前記本体の二つの端部との間には所定のギャップがそれぞれ残っていることを特徴とする請求項５８に記載の磁力駆動ポンプユニット。
【請求項６６】
前記磁気通路部は、前記コイルの周面に沿って前記コイルの裏面の中央へ湾折され、その二つの端部と前記本体の二つの端部との間には所定のギャップがそれぞれ残っていることを特徴とする請求項５９に記載の磁力駆動ポンプユニット。
【請求項６７】
前記磁気通路部は、前記コイルの周面に沿って前記コイルの裏面の中央へ湾折され、その二つの端部と前記本体の二つの端部との間には所定のギャップがそれぞれ残っていることを特徴とする請求項６０に記載の磁力駆動ポンプユニット。
【請求項６８】
前記磁気通路部は、前記コイルの周面に沿って前記コイルの裏面の中央へ湾折され、その二つの端部と前記本体の二つの端部との間には所定のギャップがそれぞれ残っていることを特徴とする請求項６１に記載の磁力駆動ポンプユニット。
【請求項６９】
前記磁気通路部は、前記コイルの周面に沿って前記コイルの裏面の中央へ湾折され、その二つの端部と前記本体の二つの端部との間には所定のギャップがそれぞれ残っていることを特徴とする請求項６２に記載の磁力駆動ポンプユニット。
【請求項７０】
前記第一位置と前記第二位置とは、前記ポンプユニットの外部に位置し、前記ブロックの一側に位置する一対の逆止弁部のうちの一つと前記ブロックの他側に位置する一対の逆止弁部のうちの一つとは前記第一位置と連通し、残る二つの逆止弁部は前記第二位置と連通し、
前記コイルの外周面と前記四つの逆止弁部の外周面とを被覆する被覆具と、
前記第一位置に形成されて第一流路を有する一対の逆止弁部と、
前記第二位置に形成されて第ニ流路を有する一対の逆止弁部とを含むことを特徴とする請求項４３から６９のいずれか一項に記載の磁力駆動ポンプユニット。
【請求項７１】
前記収容空間内に設けられて前記ブロックのストロークを限定する限定部を含むことを特徴とする請求項４３、４４、５０、５６、５７、６３又は６４に記載の磁力駆動ポンプユニット。
【請求項７２】
前記収容空間内に設けられて前記ブロックのストロークを限定する限定部を含むことを特徴とする請求項７０に記載の磁力駆動ポンプユニット。
【請求項７３】
前記各逆止弁部は、第三流路と、自在弁膜とを含み、
前記第三流路は中段部位の横断面積が両端の横断面積よりも大きく、前記中段部位には止め部が一つ設けてあり、
前記自在弁膜は前記第三流路の中段部位で移動自在であり、前記止め部と前記第三流路の一端との間に位置し、その横断面積は前記第三流路の中段部位の横断面積よりも小さく、前記第三流路の両端の横断面積よりも大きく、前記自在弁膜が前記止め部へ移動するときに、前記第三流路内の流体の流動は遮断されない状態であり、前記自在弁膜が前記止め部から離れるときに、前記第三流路内の流体の流動は遮断される状態であることを特徴とする請求項４３、４４、５０、５６、５７、６３又は６４に記載の磁力駆動ポンプユニット。
【請求項７４】
前記各逆止弁部は、第三流路と、自在弁膜とを含み、
前記第三流路は中段部位の横断面積が両端の横断面積よりも大きく、前記中段部位には止め部が一つ設けてあり、
前記自在弁膜は前記第三流路の中段部位で移動自在であり、前記止め部と前記第三流路の一端との間に位置し、その横断面積は前記第三流路の中段部位の横断面積よりも小さく、前記第三流路の両端の横断面積よりも大きく、前記自在弁膜が前記止め部へ移動するときに、前記第三流路内の流体の流動は遮断されない状態であり、前記自在弁膜が前記止め部から離れるときに、前記第三流路内の流体の流動は遮断される状態であることを特徴とする請求項７０に記載の磁力駆動ポンプユニット。
【請求項７５】
前記各逆止弁部は、第三流路と、自在弁膜とを含み、
前記第三流路は中段部位の横断面積が両端の横断面積よりも大きく、前記中段部位には止め部が一つ設けてあり、
前記自在弁膜は前記第三流路の中段部位で移動自在であり、前記止め部と前記第三流路の一端との間に位置し、その横断面積は前記第三流路の中段部位の横断面積よりも小さく、前記第三流路の両端の横断面積よりも大きく、前記自在弁膜が前記止め部へ移動するときに、前記第三流路内の流体の流動は遮断されない状態であり、前記自在弁膜が前記止め部から離れるときに、前記第三流路内の流体の流動は遮断される状態であることを特徴とする請求項７１に記載の磁力駆動ポンプユニット。
【請求項７６】
前記各逆止弁部は、第三流路と、自在弁膜とを含み、
前記第三流路は中段部位の横断面積が両端の横断面積よりも大きく、前記中段部位には止め部が一つ設けてあり、
前記自在弁膜は前記第三流路の中段部位で移動自在であり、前記止め部と前記第三流路の一端との間に位置し、その横断面積は前記第三流路の中段部位の横断面積よりも小さく、前記第三流路の両端の横断面積よりも大きく、前記自在弁膜が前記止め部へ移動するときに、前記第三流路内の流体の流動は遮断されない状態であり、前記自在弁膜が前記止め部から離れるときに、前記第三流路内の流体の流動は遮断される状態であることを特徴とする請求項７２に記載の磁力駆動ポンプユニット。
【請求項７７】
前記ブロックの移動方向に沿って前記コイルと接続し、前記本体の外周面に巻き付けられている別のコイルを含み、前記二つのコイルの磁力線方向は相異であることを特徴とする請求項１から４４、５０のいずれか一項に記載の磁力駆動ポンプユニット。
【請求項７８】
前記ブロックの移動方向に沿って前記コイルと接続し、前記本体の外周面に巻き付けられている別のコイルを含み、前記二つのコイルの磁力線方向は相異であることを特徴とする請求項７０に記載の磁力駆動ポンプユニット。
【請求項７９】
前記ブロックの移動方向に沿って前記コイルと接続し、前記本体の外周面に巻き付けられている別のコイルを含み、前記二つのコイルの磁力線方向は相異であることを特徴とする請求項７１に記載の磁力駆動ポンプユニット。
【請求項８０】
前記ブロックの移動方向に沿って前記コイルと接続し、前記本体の外周面に巻き付けられている別のコイルを含み、前記二つのコイルの磁力線方向は相異であることを特徴とする請求項７２に記載の磁力駆動ポンプユニット。
【請求項８１】
前記ブロックの移動方向に沿って前記コイルと接続し、前記本体の外周面に巻き付けられている別のコイルを含み、前記二つのコイルの磁力線方向は相異であることを特徴とする請求項７３に記載の磁力駆動ポンプユニット。
【請求項８２】
前記ブロックの移動方向に沿って前記コイルと接続し、前記本体の外周面に巻き付けられている別のコイルを含み、前記二つのコイルの磁力線方向は相異であることを特徴とする請求項７４に記載の磁力駆動ポンプユニット。
【請求項８３】
前記ブロックの移動方向に沿って前記コイルと接続し、前記本体の外周面に巻き付けられている別のコイルを含み、前記二つのコイルの磁力線方向は相異であることを特徴とする請求項７５に記載の磁力駆動ポンプユニット。
【請求項８４】
前記ブロックの移動方向に沿って前記コイルと接続し、前記本体の外周面に巻き付けられている別のコイルを含み、前記二つのコイルの磁力線方向は相異であることを特徴とする請求項７６に記載の磁力駆動ポンプユニット。
【発明の詳細な説明】
【技術分野】
【０００１】
本発明は、流体を流動させる装置に係り、特に、磁力で駆動されるポンプユニットに関するものである。
【背景技術】
【０００２】
従来の流体を圧送するポンプは、チューブの途中に羽根車やピストンを取付けて、モータによって羽根車を回転し、または、ピストンを往復運動させ、これにより、流体がチューブ内で循環して流動し、または、他の場所に輸送される。
従来のポンプは、コストが高くて体積が大きいモータを使用することが必要である。また、単一のチューブ系統には、一般に、一つのポンプ装置を設置し、または、一つのポンプ装置に二つのチューブ系統を連接してもいいが、この場合には、チューブ系統に多数の開閉弁または逆止め弁を設置することが必要になり、だから、コストが高くなり、使用が極めて不便である。
【０００３】
本発明の出願者は特許文献１を提案したが、当該装置は、一つのチェンバー内に五つの磁石が設けてあり、前記チェンバーには若干の貫通孔が開設してあり、なお、電流方向変換可能なコイルによって何れか一つの磁石を往復で移動させ、これにより、二つの流体が交替で圧送され、それは液体冷媒タイプまたは相変化タイプの冷却系統に適用でき、特に、環境から吸入された冷たい空気を吸熱冷媒とすることができ、当該装置を取付ける際には、五つの磁石が同じ極性を互いに向かうように注意することが必要である。
【０００４】
【特許文献１】米国特許第６，３６４，００３号
【発明の開示】
【発明が解決しようとする課題】
【０００５】
本発明の主な目的は、磁石などの少量の部材により流体を流動させることができる磁力駆動ポンプユニットを提供する。
本発明の次の目的は、一つの管路システム又は二つの独立な管路システムの内部の流体を流動させることができる磁力駆動ポンプユニットを提供する。
本発明の別の目的は、連接された外部の管路システムに多数の遮断弁又は多数の逆止弁を設置することが必要ない磁力駆動ポンプユニットを提供する。
【課題を解決するための手段】
【０００６】
上記目的を達成するためになされた本発明は、内部に一つの収容空間を有し、少なくとも外側が磁気伝導材料である本体と、一定の長さを有し、外周形状が前記収容空間の内周形状に対応し、前記収容空間の内部で揺動自在であり、磁力に駆動されるブロックと、前記本体の外周面に巻き付けられ、電流を提供する電子回路と接続し、前記ブロックを駆動するコイルとを含むことを特徴とする磁力駆動ポンプユニットであることを要旨としている。
【発明の効果】
【０００７】
本発明に係る磁力駆動ポンプユニットによれば、次のような効果がある。
（イ）磁石などの少量の部材により流体を流動させることができるので、ポンプを小型化することができる。
（ロ）組立作業は極めて便利になる。
（ハ）連接された外部の管路システムに多数の遮断弁又は多数の逆止弁を設置することは必要ない。
【発明を実施するための最良の形態】
【０００８】
以下、添付図面を参照して本発明の好適な実施の形態を詳細に説明する。
まず、図１を参照する。本発明の実施例１による磁力駆動ポンプユニットは、少なくとも一つの本体１１と、一つのブロック１２と、一つのコイル１３とを含む。
前記本体１１は、一定の長さを有し、内部に一つの収容空間を有し、前記収容空間は管体形状に設けられてもいい。
【０００９】
前記ブロック１２は、一定の長さを有し、外周形状が前記収容空間の内周形状に対応し、前記収容空間の内部で揺動自在であり、磁力に駆動されるものであり、磁石または超伝導体で作製されたものでもいい。
前記コイル１３は、前記本体１１の外周面に巻き付けられ、電流（例えば、流れ方向が変化可能な電流又は流れ方向が周期的に変化する電流）を提供する電子回路と接続し、前記ブロック１２を駆動することにより、前記ブロック１２の一側または両側に位置する流体を流動させる。
【００１０】
また、前記本体１１の外周面には珪素鋼、鉄、アモルファス（Amorphous）材料（例えば、アモルファス珪素（Amorphous Si）など）、永久磁石又は超伝導（Superconductor）のうちの何れか一つで作製された磁気伝導材料が設けてあり、なお、前記本体１１はシートを巻いて形成される円形断面を持つ管体であってもいいし、直径が異なった複数のスリーブを互いに嵌めて構成される円形断面を持つ管体であってもいい。
【００１１】
次に、図２を参照する。本発明の実施例２による磁力駆動ポンプユニットの前記本体１１の構造は、円形断面を持ち、収容空間を有する管体１１１と、前記管体１１１の外周面を被覆する磁気伝導体１１２とを含み、前記磁気伝導体１１２は珪素鋼、鉄、アモルファス（Amorphous）材料、永久磁石又は超伝導（Superconductor）のうちの何れか一つで作製されたものであり、なお、前記磁気伝導体１１２はシートを巻いて形成される円形断面を持つ管体であってもいいし、直径が異なった複数のスリーブを互いに嵌めて構成される円形断面を持つ管体であってもよく、そして、前記管体が前記管体１１１の外周面を被覆する。
【００１２】
上記構造により往復動式ポンプの動力源が形成され、前記コイル１３が前記磁気伝導材料または前記磁気伝導体１１２に巻き付けられる設計により、前記ブロック１２を駆動する磁束はもっと多くなり、且つ前記コイル１３の温度も降下する。
また、図２を参照する。本実施例は、更に、一つの磁気通路部１４を含み、前記磁気通路部１４は前記コイル１３の外周面を被覆し、前記コイル１３で発生する磁界を有効に案内して前記ブロック１２を駆動し、金属材料で作製されてもよく、また、前記本体１１の両端には開口が開設してあり、前記磁気通路部１４は前記コイル１３の周面に沿って前記コイル１３の裏面の中央へ湾折され、又は、前記磁気通路部１４の一部と重ねた別の磁気通路部は前記コイル１３の裏面の中央へ伸び、これにより、磁界が有効に案内されて前記ブロック１２を駆動し、また、前記本体１１が磁気伝導材料を含む場合には、前記磁気通路部１４の端部又は前記磁気通路部１４の一部と重ねた別の磁気通路部の端部は前記磁気伝導材料と接触せず、これにより、予定以外の磁気通路を形成しなくなり、電磁効果はもっと良くなる。
【００１３】
また、図１と図２を参照する。本実施例は、更に、前記収容空間内に設けられ、前記ブロック１２の一側に位置して前記ブロック１２のストロークを限定する限定部１５を少なくとも含み、これにより、前記ブロック１２が予定位置に位置するときに、もっと大きい電磁力が前記ブロック１２に加えられ、この原因は、前記予定位置での磁力の合力がより大きいからである。
【００１４】
また、図１と図２を参照する。前記収容空間が前記本体１１の両端にある開口と連通し、本実施例は、更に、二対の逆止弁部１６を含み、前記本体１１の両端には一対の前記逆止弁部１６がそれぞれ設けられ、これにより、流体は第一位置から第二位置への一方向流動だけ許可され、だから、本実施例は往復動により流体を流動させる効果を有する。
【００１５】
また、図３から図５を参照する。本発明の実施例３又は実施例４による磁力駆動ポンプユニットは、前記第一位置と前記第二位置とが前記ポンプユニットの外部に位置し、前記ブロック１２の一側に位置する一対の逆止弁部１６のうちの一つと前記ブロック１２の他側に位置する一対の逆止弁部１６のうちの一つとは前記第一位置と連通し、残った二つの逆止弁部１６は前記第二位置と連通し、本実施例では、更に、前記コイル１３の外周面と前記四つの逆止弁部１６の外周面とを被覆する被覆具１７と、前記第一位置に形成されて第一流路１７１を有する一対の逆止弁部１６と、前記第二位置に形成されて第ニ流路１７２を有する一対の逆止弁部１６とを含み、そうすると、前記被覆具１７の両端がそれぞれ流体の入り口端と出口端とされ、すなわち、前記流体は前記第一流路１７１と、前記収容空間と、前記第二流路１７２とを順に流し通される。
【００１６】
また、本実施例に係る磁力駆動ポンプユニットの前記各逆止弁部１６は、第三流路６２と、自在弁膜６４とを含み、前記第三流路６２の中段部位の横断面積はその両端の横断面積よりも大きく、前記中段部位には更に止め部６６が一つ設けてある。
前記自在弁膜６４は、前記第三流路６２の中段部位で移動自在であり、前記止め部６６と前記第三流路６２の一端との間に位置し、その横断面積は前記第三流路６２の中段部位の横断面積よりも小さくて、前記第三流路６２の両端の横断面積よりも大きく、前記自在弁膜６４が前記止め部６６へ移動するときに、前記第三流路６２内の流体の流動は遮断されない状態であり、前記自在弁膜６４が前記止め部６６から離れるときに、前記第三流路６２内の流体の流動は遮断される状態であり、これにより、一方向だけに流動可能なバルブが形成される。
【００１７】
また、本実施例に係る磁力駆動ポンプユニットは、更に、前記ブロック１２の移動方向に沿って前記コイル１３と接続し、前記本体１１の外周面に巻き付けられる別のコイルを含み、前記二つのコイルは別々に一つの電子回路と接続してもいいし、互いに接続した後に一つの電子回路と接続してもよく、且つ前記二つのコイルの磁力線方向は相異であり、これにより、前記ブロック１２を駆動する電磁力が向上する。
【図面の簡単な説明】
【００１８】
【図１】本考案の実施例１による磁力駆動ポンプユニットを示す断面図である。
【図２】本考案の実施例２による磁力駆動ポンプユニットを示す断面図である。
【図３】本考案の実施例３による磁力駆動ポンプユニットを示す断面図である。
【図４】本考案の実施例４による磁力駆動ポンプユニットを示す断面図である。
【図５】本考案の実施例４による磁力駆動ポンプユニットの動作と内部の流体の流れを示す概略図である。
【符号の説明】
【００１９】
１１  本体、１２  ブロック、１３  コイル、１４  磁気通路部、１５  限定部、１６  逆止弁部、１７  被覆具、６２  第三流路、６４  自在弁膜、６６  止め部、１１１  管体、１１２  磁気伝導体、１７１  第一流路、１７２  第二流路
【図１】
2006329190.tif 000003
【図２】
2006329190.tif 000004
【図３】
2006329190.tif 000005
【図４】
2006329190.tif 000006
【図５】
2006329190.tif 000007